(57)【特許請求の範囲】
【請求項１】
本体ケースの内部空間に、前面に２つの赤外線ＬＥＤが上下に並設され、上側の前記赤外線ＬＥＤは斜め上方を向く姿勢、下側の前記赤外線ＬＥＤは斜め下方を向く姿勢とされた旋回台を、上下方向を軸として旋回可能に設けてなる赤外線発信器であって、
前記旋回台の前面に、一対の摘み壁を、２つの前記赤外線ＬＥＤを左右両側から挟むように上下方向に延設する一方、
前記旋回台の上面に上方へ突出する上側軸部を、前記旋回台の下面に下方へ突出する下側軸部を夫々設け、前記上側軸部の前面側に規制リブを上下方向に延設するとともに、前記上側軸部の基部周りに、噛合部を上方へ向けた姿勢で軸側ラッチを周設する一方、前記本体ケース側に設けられて前記上側軸部を嵌入可能な筒状の軸受部の内周面に、一対の規制壁を周方向で所定の間隔離して突設するとともに、前記軸受部の下端面で前記軸側ラッチと対向する位置に、前記軸側ラッチが噛合可能な軸受側ラッチを、噛合部が下方を向く姿勢で周設し、
さらに、前記下側軸部に、前記本体ケース側に対して前記旋回台を上方へ付勢するコイルバネを外嵌しており、
前記旋回台の旋回姿勢を、前記規制リブが何れか一方の規制壁に当接する範囲内で調整することにより、２つの前記赤外線ＬＥＤの左右方向での姿勢を調整可能とする一方、
前記本体ケースに、前記赤外線ＬＥＤを露出させる窓を開設するとともに、赤外線透過性を有する合成樹脂からなるカバー部材を、前記窓を覆うように、前記本体ケースの外側から着脱可能に設けたことを特徴とする赤外線発信器。
【発明の詳細な説明】
【技術分野】
【０００１】
本発明は、たとえばエアコン制御システム等に利用する赤外線発信器に関するものである。
【背景技術】
【０００２】
従来、たとえばエアコン制御システムでは、エアコンの運転を制御するためのリモコンに赤外線ＬＥＤを信号発信部として備えた赤外線発信器が用いられている（特許文献１）。そして、該赤外線発信器を室内の壁面等に取り付けておき、取り付けた状態のまま赤外線発信器を利用するといったことも一般的に行われている。
【先行技術文献】
【特許文献】
【０００３】
【特許文献１】特開２００８−３０９３７９号公報
【発明の概要】
【発明が解決しようとする課題】
【０００４】
ところで、赤外線ＬＥＤから発せられる光は指向性が強いという特性を有している。そのため、赤外線発信器をリモコンとして使用する場合、エアコンの設置位置やエアコンにおける信号受信部の位置等に応じて、赤外線発信器の取付位置が限られてしまうという問題があった。
また、一般的にエアコンのメーカーや種類によって、エアコンにおける信号受信部の位置は様々となっている。したがって、エアコンを交換する際には、赤外線発信器の取付位置まで変更しなければならいという問題もあった。
【０００５】
そこで、本発明は、上記問題に鑑みなされたものであって、従来より取付位置の自由度が高く、機器を交換するような場合でも取付位置を変更したりする必要のない赤外線発信器を提供しようとするものである。
【課題を解決するための手段】
【０００６】
上記目的を達成するために、本発明は、本体ケースの内部空間に、前面に２つの赤外線ＬＥＤが上下に並設され、上側の前記赤外線ＬＥＤは斜め上方を向く姿勢、下側の前記赤外線ＬＥＤは斜め下方を向く姿勢とされた旋回台を、上下方向を軸として旋回可能に設けてなる赤外線発信器であって、前記旋回台の前面に、一対の摘み壁を、２つの前記赤外線ＬＥＤを左右両側から挟むように上下方向に延設する一方、前記旋回台の上面に上方へ突出する上側軸部を、前記旋回台の下面に下方へ突出する下側軸部を夫々設け、前記上側軸部の前面側に規制リブを上下方向に延設するとともに、前記上側軸部の基部周りに、噛合部を上方へ向けた姿勢で軸側ラッチを周設する一方、前記本体ケース側に設けられて前記上側軸部を嵌入可能な筒状の軸受部の内周面に、一対の規制壁を周方向で所定の間隔離して突設するとともに、前記軸受部の下端面で前記軸側ラッチと対向する位置に、前記軸側ラッチが噛合可能な軸受側ラッチを、噛合部が下方を向く姿勢で周設し、さらに、前記下側軸部に、前記本体ケース側に対して前記旋回台を上方へ付勢するコイルバネを外嵌しており、前記旋回台の旋回姿勢を、前記規制リブが何れか一方の規制壁に当接する範囲内で調整することにより、２つの前記赤外線ＬＥＤの左右方向での姿勢を調整可能とする一方、前記本体ケースに、前記赤外線ＬＥＤを露出させる窓を開設するとともに、赤外線透過性を有する合成樹脂からなるカバー部材を、前記窓を覆うように、前記本体ケースの外側から着脱可能に設けたことを特徴とする。
【発明の効果】
【０００７】
本発明によれば、斜め上方を向く姿勢で設置された赤外線ＬＥＤと、斜め下方を向く姿勢で設置された赤外線ＬＥＤとの２つの赤外線ＬＥＤを有しているとともに、それら２つの赤外線ＬＥＤの左右方向での姿勢を、機器の設置位置や機器における信号受信部の位置に応じて調整可能としている。したがって、室内における赤外線発信器の取付位置の自由度が高い上、たとえ機器を交換するような場合でも取付位置を変更したりする必要がなく、使い勝手が非常に良い。
また、赤外線透過性を有する合成樹脂からなるカバー部材を、本体ケースに開設された窓を覆うように、本体ケースの外側から着脱可能に設けたため、取付対象面に本体ケースを固定した後に赤外線ＬＥＤの姿勢を調整することが可能であり、取付作業を非常に簡易に行うことができる。
さらに、赤外線ＬＥＤを左右両側から挟むような位置に、一対の摘み壁を設けているため、作業者は摘み壁を摘んで旋回台の旋回姿勢を調整することができる。したがって、旋回台の旋回姿勢を調整しやすく、取付作業の一層の簡易化を図ることができる。
さらにまた、上側軸部に軸側ラッチを、軸受部に軸受側ラッチを夫々設けて両ラッチを噛合させたり、下側軸部にコイルバネを外嵌して両ラッチが噛合する方向へ旋回台を付勢したりしているため、赤外線ＬＥＤの姿勢を容易に調整することができるし、又、その調整機構を簡易に構成することができ、低コスト化、構造の小型化等を図ることができる。
加えて、旋回台の上側軸部に規制リブを設ける一方、軸受部の内周面に一対の規制壁を設けており、規制壁間でのみ規制リブの移動を許容することで、旋回台が旋回しすぎる事態を防止することができる。したがって、使い勝手の一層の向上を図ることができる。
【図面の簡単な説明】
【０００８】
【図１】赤外線発信器の外観を示した斜視説明図である。
【図２】カバー部材を取り外した状態にある赤外線発信器を示した斜視説明図である。
【図３】前ケースを取り外した状態にある赤外線発信器を示した説明図である。
【図４】赤外線発信器の分解状態を示した斜視説明図である。
【図５】前ケースを後方から示した説明図である。
【図６】前ケースの要部を図５中の方向Ａから示した説明図である。
【図７】カバー部材の説明図であって、（ａ）は下方から、（ｂ）は後方から夫々示しており、（ｃ）は（ｂ）中のＢ−Ｂ線断面を示している。
【図８】赤外線ＬＥＤを備えた旋回台を示した斜視説明図である。
【図９】上仕切板を示した説明図である。
【図１０】旋回台の旋回姿勢を調整する様子を示した説明図である。
【図１１】赤外線発信器の変更例を示した説明図である。
【発明を実施するための形態】
【０００９】
以下、本発明の一実施形態となる赤外線発信器及び赤外線発信器の取付方法について、図面にもとづき詳細に説明する。
【００１０】
図１は、赤外線発信器１の外観を示した斜視説明図であり、図２は、カバー部材２を取り外した状態にある赤外線発信器１を示した斜視説明図である。図３は、前ケース３を取り外した状態にある赤外線発信器１を示した説明図であり、図４は、赤外線発信器１の分解状態を示した斜視説明図である。図５は、前ケース３を後方から示した説明図であり、図６は、前ケース３の要部を図５中の方向Ａから示した説明図である。図７は、カバー部材２の説明図であって、（ａ）は下方から、（ｂ）は後方から夫々示しており、（ｃ）は（ｂ）中のＢ−Ｂ線断面を示している。図８は、赤外線ＬＥＤ５、６を備えた旋回台７を示した斜視説明図であり、図９は、旋回台７を任意の旋回姿勢で維持するための機構を備えた上仕切板８を示した説明図である。
【００１１】
赤外線発信器１は、エアコンを遠隔制御するために室内の壁面に取り付けられるものであって、前面が開口した箱状の後ケース４と、後ケース４の前面に組み付けられる前ケース３とからなる本体ケースの内部空間に、赤外線ＬＥＤ５、６を備えた旋回台７を任意の旋回姿勢で維持可能に収納してなる。後ケース４は、前面に開口する箱状の収納部４ａと、該収納部４ａの開口縁に沿って設けられた鍔部４ｂとからなり、収納部４ａ内には、後述する上仕切板８及び下仕切板９をネジ止めするためのネジ止め部１０が設けられているとともに、赤外線ＬＥＤ５、６から発信する各種の信号を生成するための基板３６等が収納可能となっている。また、鍔部４ｂには、上仕切板８及び下仕切板９をネジ止めするためのネジ孔１１、１１や図示しないスイッチボックスへ後ケース４をネジ止めするための固定孔１２、１２等が設けられている。
【００１２】
一方、前ケース３は、後ケース４の鍔部４ｂを含めた前面を覆うように組み付けられる略板状のカバー体であって、中央には円形の窓１３が開設されており、後ケース４に組み付けた際、窓１３内に旋回台７が露出するようになっている。また、窓１３には、赤外線透過性を有する樹脂により形成されたカバー部材２が取り付けられている。カバー部材２は、前方へ膨出するドーム状に成形されており、その後端縁には３つの係止爪１４、１４・・が後方へ突設されている。そして、各係止爪１４には掛止突起１４ａが設けられている。以上のようなカバー部材２は、係止爪１４、１４・・を前ケース３の前方側から窓１３内へ入れ込み、前後方向を軸として回転させて係止爪１４、１４・・を窓１３の縁に設けられている被係止部１５、１５・・へ係止させることにより、前ケース３に取り付けられる。したがって、カバー部材２は、後ケース４へ組み付けた状態にある前ケース３に対して着脱自在となっている。尚、係止爪１４の被係止部１５への係止に際し、各係止爪１４の掛止突起１４ａを被係止部１５の溝１５ａに掛止させることにより、係止爪１４の被係止部１５への係止状態、すなわちカバー部材２の前ケース３への取付状態が維持されることになる。
【００１３】
一方、旋回台７は、略直方体形状に成形された合成樹脂製のブロック体の正面に赤外線ＬＥＤ５、６を上下に並設してなるもので、上側の赤外線ＬＥＤ５は斜め上方を向く姿勢で、下側の赤外線ＬＥＤ６は前方を向く姿勢で夫々設置されている。また、赤外線ＬＥＤ５と赤外線ＬＥＤ６との間には、各赤外線ＬＥＤ５、６を設置する際のガイドとなるガイド板１７が設けられている。さらに、赤外線ＬＥＤ５、６を左右両側から挟むように、一対の摘み壁１８、１８が上下方向へ延設されている。また、旋回台７の上面と下面とには、軸部１６、１９が上方又は下方へ夫々突設されている。上側の軸部１６は、上仕切板８の上軸受部２０で軸支される円筒体で、その外周面の正面側には、旋回台７の旋回動作を規制するための規制リブ２１が上下方向へ延設されている。また、軸部１６の基部には、軸側ラッチ２２が噛合部を上方へ向けた状態で軸部１６周りに周設されている。一方、下側の軸部１９は、下仕切板９の下軸受部２３で軸支される円筒体で、旋回台７を上方へ付勢するためのコイルバネ２４が外嵌可能となっている。尚、２５は、基板３６に接続され、赤外線ＬＥＤ５、６を発光させるための電線である。
【００１４】
また、上仕切板８は、収納部４ａの前面開口の略上半分を覆うようにネジ止めされる板状体であって、左右両端部には、後ケース４へネジ止めするためのネジ止め部２６、２６が設けられている。また、上仕切板８の中央部には、旋回台７の上側の軸部１６を軸支するための上軸受部２０が前方へ突設されている。上軸受部２０は、軸部１６を下方から嵌入可能な筒状に形成されており、該上軸受部２０の内周面には、旋回台７を左右夫々９０度まで旋回させると規制リブ２１が当接し、それ以上の旋回を規制するための一対の規制壁２７、２７が突設されている。また、上軸受部２０の下端面で、軸部１６を軸支する際に軸側ラッチ２２と対向する位置には、軸側ラッチ２２が噛合可能な軸受側ラッチ２８が、噛合部を下方へ向けた状態で周設されている。尚、２９は、後ケース４へネジ止めするためのネジ孔である。
【００１５】
さらに、下仕切板９は、収納部４ａの前面開口の略下半分を覆うようにネジ止めされる板状体であって、左右両端部には、後ケース４へネジ止めするためのネジ止め部３０、３０が設けられている。このネジ止め部３０、３０は、前方へ持ち上げられて形成されており、後ケース４へネジ止めする際に上仕切板８のネジ止め部２６、２６の前方に積層されるようになっている。さらに、下仕切板９の中央部には、旋回台７の下側の軸部１９を軸支するための下軸受部２３が前方へ突設されている。下軸受部２３は、コイルバネ２４が外嵌された軸部１９を上方から嵌入可能な筒状に形成されている。尚、３１は、後ケース４へネジ止めするためのネジ孔である。
【００１６】
ここで、以上のような構成要素からなる赤外線発信器１の組立方法及び壁面への取付方法について説明する。
まず、後ケース４の収納部４ａ内に各種基板等を設置した後、後ケース４に対して上仕切板８をネジ止めする。次に、上軸受部２０と下軸受部２３とで旋回台７を挟み込みながら下仕切板９を後ケース４に対してネジ止めする。すると、旋回台７は、後ケース４に対して、上下方向を軸に左右方向へ旋回自在に組み付けられることになる。また、上述したように左右方向への旋回可能範囲は、規制リブ２１及び規制壁２７、２７によって規制されることになる。さらに、コイルバネ２４によって旋回台７は上方へ付勢されるため、任意の旋回姿勢で軸側ラッチ２２と軸受側ラッチ２８との噛合状態が維持可能となる。そして、壁面に埋設されているスイッチボックスに後ケース４をネジ止めした後、後ケース４に前ケース３を組み付ける。その後、図１０に示すように、エアコンの設置位置やエアコンにおける信号受信部の位置の方向へ赤外線ＬＥＤ５若しくは赤外線ＬＥＤ６が向くように、摘み壁１８、１８を摘みながら旋回台７を左右方向へ旋回させて、その旋回姿勢を調整する。それから最後に、カバー部材２を窓１３に装着すれば、赤外線発信器１の組み立て及び取り付けは完了となる。
【００１７】
以上のような構成を有する赤外線発信器１によれば、夫々異なる方向へ向けられた２つの赤外線ＬＥＤ５、６を、上下方向を軸として左右方向へ旋回する旋回台７に設置しており、旋回台７の旋回姿勢を調整することにより、赤外線ＬＥＤ５、６の姿勢を、エアコンの設置位置やエアコンにおける信号受信部の位置に応じて調整可能としている。したがって、室内における赤外線発信器１の取付位置の自由度が高い上、たとえエアコンを交換するような場合でも取付位置を変更したりする必要がなく、使い勝手が非常に良い。
また、前ケース３に対して、その前方側からカバー部材２を装着することができる。すなわち、前ケース３を後ケース４に組み付けた状態のままカバー部材２を装着することができるため、壁面に本体ケースを固定した後に赤外線ＬＥＤ５、６の姿勢を調整することが可能であり、取付作業を非常に簡易に行うことができる。
【００１８】
さらに、赤外線ＬＥＤ５、６を左右両側から挟むような位置に、一対の摘み壁１８、１８を設けているため、作業者は摘み壁１８、１８を摘んで旋回台７の旋回姿勢を調整することができる。したがって、旋回台７の旋回姿勢を調整しやすく、取付作業の一層の簡易化を図ることができる。
さらにまた、旋回台７に軸側ラッチ２２を設ける一方、旋回台７を軸支する上軸受部２０に軸受側ラッチ２８を設けるとともに、コイルバネ２４によって軸側ラッチ２２と軸受側ラッチ２８とが噛合する方向へ旋回台７を付勢するといった構成によって、旋回台７を任意の旋回姿勢で維持可能としている。したがって、簡易な構成で旋回台７を所望の旋回姿勢で維持することができ、低コスト化、構造の小型化等を図ることができる。
加えて、旋回台７の軸部１６に規制リブ２１を設ける一方、軸部１６を支持する上仕切板８の上軸受部２０の内周面に一対の規制壁２７、２７を設けており、規制壁２７、２７間でのみ規制リブ２１の移動を許容することで、旋回台７が旋回しすぎる事態を防止可能としている。したがって、使い勝手の一層の向上を図ることができる。
【００１９】
なお、本発明に係る赤外線発信器及び赤外線発信器の取付方法は、上記実施形態の態様に何ら限定されるものではなく、前ケースの形状、赤外線ＬＥＤの向きを調整するための構成や赤外線ＬＥＤの数といった赤外線発信器に係る構成や、赤外線発信器の取付位置について、本発明の趣旨を逸脱しない範囲で、必要に応じて適宜変更することができる。
【００２０】
たとえば、前ケースとして、図１１に示すような円板状の前ケース３５を採用することも可能である。この前ケース３５を採用することにより、後ケース４の上下方向が必ずしも壁面の上下方向と平行になっていないような場合（たとえば、赤外線ＬＥＤ５、６の方向を合わせるために、どうしても後ケース４を傾けて設置しなければならないような場合）であっても、壁面から露出する前ケース３５は常に同じ姿勢となり、設置した際の見栄えがよい等といった効果がある。
【００２１】
また、旋回台７を、左右方向を軸として上下方向へ旋回可能に取り付けるといった構成も採用可能であるし、赤外線ＬＥＤの数も上記実施形態の２つに何ら限定されることはなく、赤外線ＬＥＤの数を１つにするとともに、その姿勢を上下左右に調整可能としたような構成であってもよい。
さらに、上記実施形態では、赤外線発信器をエアコン制御システムのリモコンとして使用しているが、他のシステム（たとえば、照明制御システムや換気扇制御システム、トイレユニット制御システムやカーテン制御システム等）のリモコンとして使用することも可能である。
加えて、赤外線発信器の取付位置に関しても、壁面に限定されることはなく、天井面や床面等に取り付けても何ら問題はない。
【符号の説明】
【００２２】
１・・赤外線発信器、２・・カバー部材、３、３５・・前ケース（本体ケース）、４・・後ケース（本体ケース）、５、６・・赤外線ＬＥＤ、７・・旋回台、８・・上仕切板、９・・下仕切板、１３・・窓、１４・・係止爪、１４ａ・・掛止突起、１５・・被係止部、１５ａ・・溝、１６、１９・・軸部、１８・・摘み壁、２０・・上軸受部、２１・・規制リブ、２２・・軸側ラッチ、２３・・下軸受部、２４・・コイルバネ、２７・・規制壁、３６・・基板。
【図１】
0005666878.tif 000002
【図２】
0005666878.tif 000003
【図３】
0005666878.tif 000004
【図４】
0005666878.tif 000005
【図５】
0005666878.tif 000006
【図６】
0005666878.tif 000007
【図７】
0005666878.tif 000008
【図８】
0005666878.tif 000009
【図９】
0005666878.tif 000010
【図１０】
0005666878.tif 000011
【図１１】
0005666878.tif 000012